(57)【要約】【課題】表示装置が設置されている場所に応じて、表示装置に適切なコンテンツを表示させる。【解決手段】表示装置が置かれている環境に関する情報である環境情報を取得する環境情報取得部２３１と、環境情報取得部２３１が取得した環境情報に基づいて、上記表示装置が設定されている場所を判定する判定部２３２と、判定部２３２が判定した場所に基づいて、表示装置に表示させるコンテンツを切り替える切替部２３３と、を備える。【選択図】図３
2014032507.tif 000002
【特許請求の範囲】
【請求項１】
表示装置が置かれている環境に関する情報である環境情報を取得する環境情報取得部と、
前記環境情報取得部が取得した環境情報に基づいて、前記表示装置が設定されている場所を判定する判定部と、
前記判定部が判定した場所に基づいて、前記表示装置に表示させるコンテンツを切り替える切替部と、
を備える切替システム。
【請求項２】
前記判定部は前記環境情報に基づいて、前記表示装置が設置されている店を判定し、
前記切替部は、前記判定部が判定した店に基づいて、前記コンテンツを切り替える請求項１に記載の切替システム。
【請求項３】
前記切替部は、前記表示装置に表示させるコンテンツ中に、前記判定部が判定した店に関する情報を含ませ、前記判定部が判定した店に競合する他店の情報を含ませない請求項２に記載の切替システム。
【請求項４】
前記表示装置が設置されている周囲を撮像する撮像部を備え、
前記環境情報取得部は、前記撮像部が撮像して得られた画像から、前記表示装置が設置されている店の標章の画像領域である標章オブジェクトを抽出し、
前記判定部は、標章オブジェクトを示す標章オブジェクト情報と店名を示す店名情報とが関連付けられて記憶されている記憶部から、前記環境情報取得部が抽出した標章オブジェクトを示す標章オブジェクト情報に対応する店名情報を取得することで、前記表示装置が設置されている店を判定する請求項２または３に記載の切替システム。
【請求項５】
前記環境情報取得部は、前記撮像部が撮像して得られた画像に含まれる標章オブジェクトのうち、最も多い標章オブジェクトを、前記表示装置が設置されている店の標章を示す標章オブジェクトとして抽出する請求項４に記載の切替システム。
【請求項６】
前記撮像部が撮像して得られた画像に基づいて、前記表示装置が店頭に設置されているか否か判定する店頭判定部と、
前記店頭判定部が店頭に設置されていると判定した場合、前記環境情報取得部は、標章オブジェクトを抽出し、前記判定部は判定を実施し、前記切替部は切替を実施する請求項４または５に記載の切替システム。
【請求項７】
前記店頭判定部は、前記撮像部が撮像して得られた画像に含まれる表示装置のオブジェクトを抽出し、該抽出したオブジェクトの数に基づいて、前記表示装置が店頭に設置されているか否か判定する請求項６に記載の切替システム。
【請求項８】
前記店頭判定部は、前記撮像部が撮像して得られた画像から、互いに同じ映像を表示している表示装置のオブジェクトを抽出し、該抽出したオブジェクトの数に基づいて、前記表示装置が店頭に設置されているか否か判定する請求項６に記載の切替システム。
【請求項９】
前記店頭判定部は、前記撮像部が撮像して得られた画像に含まれる特定のオブジェクトを抽出し、該抽出したオブジェクトの数に基づいて、前記表示装置が店頭に設置されているか否か判定する請求項６に記載の切替システム。
【請求項１０】
前記特定のオブジェクトは、のぼり、パネル、卓上スタンド、プライスカード、天吊りのオブジェクトである請求項９に記載の切替システム。
【請求項１１】
前記表示装置が設置されている周囲の音声を録音する収音部を備え、
前記環境情報取得部は、前記収音部が録音した音声から、該音声の曲名を取得し、
前記判定部は、曲名を示す曲名情報と店名を示す店名情報とが関連付けられて記憶されている記憶部から、前記環境情報取得部が取得した曲名を示す曲名情報に対応する店名情報を取得することで、前記表示装置が設置されている店を判定する請求項２または３に記載の切替システム。
【請求項１２】
前記表示装置が設置されている周囲の音声を録音する収音部を備え、
前記環境情報取得部は、前記収音部が録音した音声から、該音声の楽曲データを取得し、
前記判定部は、前記環境情報取得部が取得した楽曲データに基づいて、前記表示装置が設置されている店を判定する請求項２または３に記載の切替システム。
【請求項１３】
前記環境情報は、前記表示装置の位置に関する情報である位置情報であり、
前記環境情報取得部は、前記表示装置の前記位置情報を取得し、
前記判定部は前記環境情報取得部が取得した位置情報に基づいて、前記表示装置が設置されている店を判定する請求項２または３に記載の切替システム。
【請求項１４】
前記位置情報は、前記表示装置が設置されている店の郵便番号、または前記表示装置が設置されている場所の緯度及び経度である請求項１３に記載の切替システム。
【請求項１５】
前記位置情報は、前記表示装置のネットワーク上の位置に関する情報である請求項１４に記載の切替システム。
【請求項１６】
前記環境情報は、前記表示装置の通信の設定に関する情報である通信設定情報であり、
前記環境情報取得部は、前記表示装置の前記通信設定情報を取得し、
前記判定部は前記環境情報取得部が取得した通信設定情報に基づいて、前記表示装置が設置されている店を判定する請求項２または３に記載の切替システム。
【請求項１７】
前記環境情報は、前記表示装置が設置された店内で放送されている番組に関する情報である番組情報であり、
前記環境情報取得部は、前記表示装置が受信する店内放送信号から前記番組情報を取得し、
前記判定部は前記環境情報取得部が取得した番組情報に基づいて、前記表示装置が設置されている店を判定する請求項２または３に記載の切替システム。
【請求項１８】
前記番組情報は、前記番組の名称、前記番組に関するメタデータまたは前記表示装置が設置されている店名を示す請求項１７に記載の切替システム。
【請求項１９】
前記環境情報は、店名に関する店名情報であり、
前記表示装置を操作する操作者が入力した店名を受け付ける入力部と、
前記環境情報取得部は、前記入力部が受け付けた店名を示す店名情報を取得し、
前記判定部は前記環境情報取得部が取得した店名情報が示す店名を前記表示装置が設置されている店と判定する請求項２または３に記載の切替システム。
【請求項２０】
前記表示装置を操作する操作者が入力した特定のコードを受け付ける入力部と、
前記環境情報取得部は、前記入力部が受け付けた特定のコードを取得し、
前記判定部は、コードを示すコード情報と店名を示す店名情報とが関連付けられて記憶されている記憶部から、前記環境情報取得部が取得した特定のコードを示す特定コード情報に対応する店名情報を取得することで、前記表示装置が設置されている店を判定する請求項２または３に記載の切替システム。
【請求項２１】
前記表示装置が店頭に設置されているか否かを判定する店頭モード切替部と、
前記店頭モード切替部が店頭に設置されていると判定した場合、前記環境情報取得部は、標章オブジェクトを抽出し、前記判定部は判定を実施し、前記切替部は切替を実施する請求項２から５、１１から２０のいずれか一項に記載の切替システム。
【請求項２２】
カードが挿入される挿入部と、
前記店頭モード切替部は、特定のカードが前記挿入部に挿入された場合、前記表示装置が店頭に設置されていると判定する請求項２１に記載の切替システム。
【請求項２３】
表示装置が置かれている環境に関する情報である環境情報に基づいて、前記表示装置が設置されている場所を判定する判定部と、
前記判定部が判定した場所に基づいて、前記表示装置に表示させるコンテンツを切り替える切替部と、
を備える切替装置。
【請求項２４】
コンテンツを表示する表示部と、
自装置が置かれている環境に関する情報である環境情報を取得する環境情報取得部と、
前記環境情報取得部が取得した環境情報に基づいて、前記自装置が設置されている場所を判定する判定部と、
前記判定部が判定した場所に基づいて、前記表示部に表示させるコンテンツを切り替える切替部と、
を備える表示装置。
【請求項２５】
判定部が、表示装置が置かれている環境に関する情報である環境情報に基づいて、前記表示装置が設置されている場所を判定する手順と、
切替部が、前記判定部が判定した場所に基づいて、前記表示装置に表示させるコンテンツを切り替える手順と、
を有する切替方法。
【請求項２６】
コンピュータに、
表示装置が置かれている環境に関する情報である環境情報に基づいて、前記表示装置が設置されている場所を判定する判定ステップと、
前記判定ステップにより判定された場所に基づいて、前記表示装置に表示させるコンテンツを切り替える切替ステップと
を実行させるための切替プログラム。
【発明の詳細な説明】
【技術分野】
【０００１】
本発明は、切替システム、切替装置、表示装置、切替方法及び切替プログラムに関する。
【背景技術】
【０００２】
従来、端末装置からサーバへ送信することが行われている。例えば、特許文献１では、店舗に展示した製品のデモ（デモンストレーション）を店員が顧客に行うべく、製品のデモンストレーションボタンを押すことによって遠隔に配置されたサーバにネットワークを介してデモンストレーション識別データＤＥＭＯ＿ＩＤが送信される。次いでサーバから製品へ命令が送信されることで、選択されたデモンストレーションが顧客に対して行われる。その際に、サーバが、デモンストレーション識別データから、ＤＥＭＯ＿ＩＤから店舗に関する識別情報を抽出することが知られている（特許文献１参照）。
【先行技術文献】
【特許文献】
【０００３】
【特許文献１】特表２００４−５１３４３７号公報
【発明の概要】
【発明が解決しようとする課題】
【０００４】
しかしながら、特許文献１の技術では、サーバが店舗の特定ができるが、その製品がどの量販店の店舗に設置されているかまでは特定できない。このため、製品のデモ後に、ショッピングのボタンを顧客が押下すると、サーバから表示装置が設置されている量販店と競合する他店の情報（例えば、他店の販売ページに繋がるリンクアイコンまたは他店の広告）がサーバから送られて、その表示装置に表示させる場合があることを本発明者は発見した。すなわち、表示装置が設置されている場所に応じて、表示装置に顧客の要求に応じた適切なコンテンツを表示させることができないという問題がある。
【０００５】
そこで本発明は、上記問題に鑑みてなされたものであり、表示装置が設置されている場所に応じて、表示装置に適切なコンテンツを表示させることを可能とする切替システム、切替装置、表示装置、切替方法及び切替プログラムを提供することを課題とする。
【課題を解決するための手段】
【０００６】
（１）本発明は前記事情に鑑みなされたもので、本発明の一態様は、表示装置が置かれている環境に関する情報である環境情報を取得する環境情報取得部と、前記環境情報取得部が取得した環境情報に基づいて、前記表示装置が設定されている場所を判定する判定部と、前記判定部が判定した場所に基づいて、前記表示装置に表示させるコンテンツを切り替える切替部と、を備える切替システムである。
【０００７】
（２）上記に記載の切替システムにおいて、本発明の一態様は、前記判定部は前記環境情報に基づいて、前記表示装置が設置されている店を判定し、前記切替部は、前記判定部が判定した店に基づいて、前記コンテンツを切り替える。
【０００８】
（３）上記に記載の切替システムにおいて、本発明の一態様は、前記切替部は、前記表示装置に表示させるコンテンツ中に、前記判定部が判定した店に関する情報を含ませ、前記判定部が判定した店に競合する他店の情報を含ませない。
【０００９】
（４）上記に記載の切替システムにおいて、本発明の一態様は、前記表示装置が設置されている周囲を撮像する撮像部を備え、前記環境情報取得部は、前記撮像部が撮像して得られた画像から、前記表示装置が設置されている店の標章の画像領域である標章オブジェクトを抽出し、前記判定部は、標章オブジェクトを示す標章オブジェクト情報と店名を示す店名情報とが関連付けられて記憶されている記憶部から、前記環境情報取得部が抽出した標章オブジェクトを示す標章オブジェクト情報に対応する店名情報を取得することで、前記表示装置が設置されている店を判定する。
【００１０】
（５）上記に記載の切替システムにおいて、本発明の一態様は、前記環境情報取得部は、前記撮像部が撮像して得られた画像に含まれる標章オブジェクトのうち、最も多い標章オブジェクトを、前記表示装置が設置されている店の標章を示す標章オブジェクトとして抽出する。
【００１１】
（６）上記に記載の切替システムにおいて、本発明の一態様は、前記撮像部が撮像して得られた画像に基づいて、前記表示装置が店頭に設置されているか否か判定する店頭判定部と、前記店頭判定部が店頭に設置されていると判定した場合、前記環境情報取得部は、標章オブジェクトを抽出し、前記判定部は判定を実施し、前記切替部は切替を実施する。
【００１２】
（７）上記に記載の切替システムにおいて、本発明の一態様は、前記店頭判定部は、前記撮像部が撮像して得られた画像に含まれる表示装置のオブジェクトを抽出し、該抽出したオブジェクトの数に基づいて、前記表示装置が店頭に設置されているか否か判定する。
【００１３】
（８）上記に記載の切替システムにおいて、本発明の一態様は、前記店頭判定部は、前記撮像部が撮像して得られた画像から、互いに同じ映像を表示している表示装置のオブジェクトを抽出し、該抽出したオブジェクトの数に基づいて、前記表示装置が店頭に設置されているか否か判定する。
【００１４】
（９）上記に記載の切替システムにおいて、本発明の一態様は、前記店頭判定部は、前記撮像部が撮像して得られた画像に含まれる特定のオブジェクトを抽出し、該抽出したオブジェクトの数に基づいて、前記表示装置が店頭に設置されているか否か判定する。
【００１５】
（１０）上記に記載の切替システムにおいて、本発明の一態様は、前記特定のオブジェクトは、のぼり、パネル、卓上スタンド、プライスカード、天吊りのオブジェクトである。
【００１６】
（１１）上記に記載の切替システムにおいて、本発明の一態様は、前記表示装置が設置されている周囲の音声を録音する収音部を備え、前記環境情報取得部は、前記収音部が録音した音声から、該音声の曲名を取得し、前記判定部は、曲名を示す曲名情報と店名を示す店名情報とが関連付けられて記憶されている記憶部から、前記環境情報取得部が取得した曲名を示す曲名情報に対応する店名情報を取得することで、前記表示装置が設置されている店を判定する。
【００１７】
（１２）上記に記載の切替システムにおいて、本発明の一態様は、前記表示装置が設置されている周囲の音声を録音する収音部を備え、前記環境情報取得部は、前記収音部が録音した音声から、該音声の楽曲データを取得し、前記判定部は、前記環境情報取得部が取得した楽曲データに基づいて、前記表示装置が設置されている店を判定する。
【００１８】
（１３）上記に記載の切替システムにおいて、本発明の一態様は、前記環境情報は、前記表示装置の位置に関する情報である位置情報であり、前記環境情報取得部は、前記表示装置の前記位置情報を取得し、前記判定部は前記環境情報取得部が取得した位置情報に基づいて、前記表示装置が設置されている店を判定する。
【００１９】
（１４）上記に記載の切替システムにおいて、本発明の一態様は、前記位置情報は、前記表示装置が設置されている店の郵便番号、または前記表示装置が設置されている場所の緯度及び経度である。
【００２０】
（１５）上記に記載の切替システムにおいて、本発明の一態様は、前記位置情報は、前記表示装置のネットワーク上の位置に関する情報である。
【００２１】
（１６）上記に記載の切替システムにおいて、本発明の一態様は、前記環境情報は、前記表示装置の通信の設定に関する情報である通信設定情報であり、前記環境情報取得部は、前記表示装置の前記通信設定情報を取得し、前記判定部は前記環境情報取得部が取得した通信設定情報に基づいて、前記表示装置が設置されている店を判定する。
【００２２】
（１７）上記に記載の切替システムにおいて、本発明の一態様は、前記環境情報は、前記表示装置が設置された店内で放送されている番組に関する情報である番組情報であり、前記環境情報取得部は、前記表示装置が受信する店内放送信号から前記番組情報を取得し、前記判定部は前記環境情報取得部が取得した番組情報に基づいて、前記表示装置が設置されている店を判定する。
【００２３】
（１８）上記に記載の切替システムにおいて、本発明の一態様は、前記番組情報は、前記番組の名称、前記番組に関するメタデータまたは前記表示装置が設置されている店名を示す。
【００２４】
（１９）上記に記載の切替システムにおいて、本発明の一態様は、前記環境情報は、店名に関する店名情報であり、前記表示装置を操作する操作者が入力した店名を受け付ける入力部と、前記環境情報取得部は、前記入力部が受け付けた店名を示す店名情報を取得し、前記判定部は前記環境情報取得部が取得した店名情報が示す店名を前記表示装置が設置されている店と判定する。
【００２５】
（２０）上記に記載の切替システムにおいて、本発明の一態様は、前記表示装置を操作する操作者が入力した特定のコードを受け付ける入力部と、前記環境情報取得部は、前記入力部が受け付けた特定のコードを取得し、前記判定部は、コードを示すコード情報と店名を示す店名情報とが関連付けられて記憶されている記憶部から、前記環境情報取得部が取得した特定のコードを示す特定コード情報に対応する店名情報を取得することで、前記表示装置が設置されている店を判定する。
【００２６】
（２１）上記に記載の切替システムにおいて、本発明の一態様は、前記表示装置が店頭に設置されているか否かを判定する店頭モード切替部と、前記店頭モード切替部が店頭に設置されていると判定した場合、前記環境情報取得部は、標章オブジェクトを抽出し、前記判定部は判定を実施し、前記切替部は切替を実施する。
【００２７】
（２２）上記に記載の切替システムにおいて、本発明の一態様は、カードが挿入される挿入部と、前記店頭モード切替部は、特定のカードが前記挿入部に挿入された場合、前記表示装置が店頭に設置されていると判定する。
【００２８】
（２３）本発明の一態様は、表示装置が置かれている環境に関する情報である環境情報に基づいて、前記表示装置が設置されている場所を判定する判定部と、前記判定部が判定した場所に基づいて、前記表示装置に表示させるコンテンツを切り替える切替部と、を備える切替装置である。
【００２９】
（２４）本発明の一態様は、コンテンツを表示する表示部と、自装置が置かれている環境に関する情報である環境情報を取得する環境情報取得部と、前記環境情報取得部が取得した環境情報に基づいて、前記自装置が設置されている場所を判定する判定部と、前記判定部が判定した場所に基づいて、前記表示部に表示させるコンテンツを切り替える切替部と、を備える表示装置である。
【００３０】
（２５）本発明の一態様は、判定部が、表示装置が置かれている環境に関する情報である環境情報に基づいて、前記表示装置が設置されている場所を判定する手順と、切替部が、前記判定部が判定した場所に基づいて、前記表示装置に表示させるコンテンツを切り替える手順と、を有する切替方法である。
【００３１】
（２６）本発明の一態様は、コンピュータに、表示装置が置かれている環境に関する情報である環境情報に基づいて、前記表示装置が設置されている場所を判定する判定ステップと、前記判定ステップにより判定された場所に基づいて、前記表示装置に表示させるコンテンツを切り替える切替ステップとを実行させるための切替プログラムである。
【発明の効果】
【００３２】
本発明によれば、表示装置が設置されている場所に応じて、表示装置に適切なコンテンツを表示させることができる。
【図面の簡単な説明】
【００３３】
【図１】第１の実施形態における切替システムの構成を示す概略ブロック図である。
【図２】第１の実施形態における表示装置の構成を示す概略ブロック図である。
【図３】第１の実施形態におけるポータルサーバの構成を示す概略ブロック図である。
【図４】第１の実施形態におけるデータサーバの構成を示す概略ブロック図である。
【図５】データサーバの記憶部に記憶されているテーブルの一例である。
【図６】第１の実施形態における切替システムの処理の流れの一例を示すシーケンス図である。
【図７】表示装置に表示されるホーム画面の一例である。
【図８】表示装置に表示されるポータルサイトのページの一例である。
【図９】第２の実施形態における切替システムの構成を示す概略ブロック図である。
【図１０】第２の実施形態における表示装置の構成を示す概略ブロック図である。
【図１１】第２の実施形態におけるポータルサーバの構成を示す概略ブロック図である。
【図１２】第２の実施形態におけるデータサーバの構成を示す概略ブロック図である。
【図１３】第２の実施形態における切替システムの処理の流れの一例を示すシーケンス図である。
【図１４】第３の実施形態における切替システムの構成を示す概略ブロック図である。
【図１５】第３の実施形態における表示装置の構成を示す概略ブロック図である。
【図１６】第３の実施形態におけるポータルサーバの構成を示す概略ブロック図である。
【図１７】第３の実施形態における切替システムの処理の流れの一例を示すシーケンス図である。
【図１８】第４の実施形態における切替システムの構成を示す概略ブロック図である。
【図１９】第４の実施形態における表示装置の構成を示す概略ブロック図である。
【図２０】第４の実施形態における表示装置の構成を示す概略ブロック図である。
【図２１】第４の実施形態におけるポータルサーバの構成を示す概略ブロック図である。
【図２２】第５の実施形態における切替システムの構成を示す概略ブロック図である。
【図２３】第５の実施形態における表示装置の構成を示す概略ブロック図である。
【図２４】第５の実施形態におけるポータルサーバの構成を示す概略ブロック図である。
【図２５】第５の実施形態における切替システムの処理の流れの一例を示すシーケンス図である。
【図２６】第６の実施形態における切替システムの構成を示す概略ブロック図である。
【図２７】第６の実施形態における表示装置の構成を示す概略ブロック図である。
【図２８】第６の実施形態におけるポータルサーバの構成を示す概略ブロック図である。
【図２９】第６の実施形態における切替システムの処理の流れの一例を示すシーケンス図である。
【図３０】第７の実施形態における切替システムの構成を示す概略ブロック図である。
【図３１】第７の実施形態における表示装置の構成を示す概略ブロック図である。
【図３２】第７の実施形態におけるポータルサーバの構成を示す概略ブロック図である。
【図３３】データサーバの記憶部に記憶されているテーブルの変形例である。
【図３４】表示装置に表示されるポータルサイトのページの変形例である。
【図３５】表示装置に表示されるポータルサイトのページの第２の変形例である。
【図３６】量販店Ｍの店頭において、ポータルサーバが量販店Ｍであると判定できていない状態のポータルサイトのページの例である。
【発明を実施するための形態】
【００３４】
以下、本発明の各実施形態について、図面を参照して詳細に説明する。
＜第１の実施形態＞
図１は、第１の実施形態における切替システム１の構成を示す概略ブロック図である。切替システム１は、表示装置１００と、ポータルサーバ（以下で、「切替装置」と言うことがある。）２００と、データサーバ３００とを備える。
表示装置１００は、例えば家庭電化製品の量販店とか、製品の説明（デモンストレーション、略して「デモ」と言うことがある。）を行う場所とか、ユーザ宅とかに設置される。表示装置１００は、店頭デモモード起動時に撮像部を起動し、例えば表示装置１００が設置されている量販店の店内の周囲を、予め決められた枚数の画像を撮像する。そして、表示装置１００は、撮像により得られた画像をポータルサーバ２００へ送信する。表示装置１００は、一例として、撮像装置を備えたテレビ受像機である。なお、表示装置１００は、予め決められた時間だけ撮像装置で撮影した映像を内蔵の録画装置へ録画し、録画した映像をポータルサーバ２００へ送信してもよい。
【００３５】
ポータルサーバ２００は、表示装置１００が撮像した画像に含まれる標章（例えば、量販店のロゴ）の画像領域（以下、画像領域をオブジェクトともいい、標章の画像領域を標章オブジェクトという）を抽出する。その際、ポータルサーバ２００は、一例として、以下のようにして標章の画像領域を抽出する。前提として、例えば、ポータルサーバ２００には、予め各量販店の各ロゴ画像が、標章オブジェクトの基準データとして保存されているものとする。ポータルサーバ２００は、例えば、ハフ変換を用いて表示装置１００が撮像した画像中の直線を検出し、直線に囲まれた領域を全てオブジェクトとして抽出する。そして、ポータルサーバ２００は、抽出した各オブジェクトを各量販店の基準データと照合し、どの量販店の標章オブジェクトかを決定する。ポータルサーバ２００に基準データが存在しない場合は、外部の検索エンジンに画像検索を行うことで、どの量販店の標章オブジェクトかを判定する。ここで、本実施形態における標章は、文字、図形、記号若しくは立体的形状若しくはこれらの結合又はこれらと色彩との結合である。
【００３６】
続いて、ポータルサーバ２００は、例えば、抽出した標章オブジェクトのうち、最も多い標章オブジェクトを表示装置１００が設置されている店の標章を示す標章オブジェクトとして抽出する。
ここで、ポータルサーバ２００が、画像に写っている競合他店の標章オブジェクトの数は表示装置１００が設置されている店の標章オブジェクトよりも少ないことを前提とするが、この前提は、殆どの場合において成立する。競合他店の標章オブジェクトは、例えば、競合他店の買い物袋に付された競合他店のロゴである。これにより、ポータルサーバ２００は、最も多い標章オブジェクトを抽出することにより、誤って競合他店の標章オブジェクトを表示装置１００が設置されている店の標章を示す標章オブジェクトとして抽出することを回避することができる。
【００３７】
データサーバ３００には、各量販店の標章を示す標章データと量販店名とが関連付けられて予め記憶されている。ポータルサーバ２００は、例えば、データサーバ３００が有する各量販店の標章データと抽出した標章オブジェクトを照合し、表示装置１００が設置されている量販店名を判定する。ここで、標章データは、ロゴデータ、文字標章などを含むデータである。そして、ポータルサーバ２００は、例えば、表示装置１００が設置されている量販店に対する競合他社のリンクを外したポータルサイトのコンテンツを生成する。ここで、ポータルサイトは、Ｗｅｂにアクセスするときの入口となるウェブサイトである。ポータルサーバ２００は、生成したコンテンツを表示装置１００へ送信する。ここで、コンテンツは、例えば、ＨＴＭＬ（ＨｙｐｅｒＴｅｘｔ  Ｍａｒｋｕｐ  Ｌａｎｇｕａｇｅ）または画像である。これにより、表示装置１００は、表示装置１００が設置されている量販店に対する競合他社のリンクが外されたポータルサイトを表示する。
【００３８】
図２は、第１の実施形態における表示装置１００の構成を示す概略ブロック図である。表示装置１００は、入力部１０１と、記憶部１１０と、チューナ１２０と、挿入部１３０と、撮像部１４０と、制御部１５０と、通信部１６０と、動画制御部１７０と、表示部１８０とを備える。制御部１５０は、バス（母線）を介して他の部材と相互に接続されている。
【００３９】
入力部１０１は、ユーザからの入力を受け付ける。ここで、入力部１０１は、赤外線受光部１０２を備える。一例として、ユーザは、不図示のリモコンを操作する。赤外線受光部１０２は、不図示のリモコンから出射された赤外線を受け付け、受け付けた赤外線からユーザの入力を読み取ることでユーザからの入力を受け付ける。入力部１０１は、受け付けた入力を示す入力情報を制御部１５０へ出力する。
【００４０】
記憶部１１０には、制御部１５０が読み出して実行する各種のプログラムが記憶されている。
チューナ１２０は、テレビ放送の放送信号を受信し、受信した放送信号から映像信号を生成する。そして、チューナ１２０は、生成した映像信号を動画制御部１７０に供給する。これにより、動画制御部１７０は、生成した映像信号を表示部１８０に表示させる。チューナ１２０は、例えば、地上波デジタルテレビ放送を受信するための地上波デジタルチューナである。
【００４１】
挿入部１３０は、スクランブルを解除するためのカード（例えば、Ｂ−ＣＡＳカード）が挿入される部材である。挿入部１３０には、例えば、白ＣＡＳカードが挿入される。白ＣＡＳカードとは、店頭展示用の白色のＢ−ＣＡＳカードのことであり、このカードを表示装置１００の所定の個所に挿入することによりスクランブルを解除して放送を見ることができる。挿入部１３０は、白ＣＡＳカードが挿入された場合、白ＣＡＳカードが挿入された旨を制御部１５０へ出力する。これにより、制御部１５０は、モードを店頭モードに切り替える。
撮像部１４０は、表示装置１００が設置されている周囲を予め決められた枚数だけ撮像する。撮像部１４０は、撮像により得られた画像を示す画像情報を制御部１５０へ出力する。制御部１５０は、撮像部１４０から入力された画像情報を、通信部１６０を介してポータルサーバ２００へ送信する。
【００４２】
制御部１５０は、店頭モード切替部１５１を備える。店頭モード切替部１５１は、例えば、挿入部１３０から白ＣＡＳカードが挿入された旨を受け取った場合、表示装置１００が店頭に設置されていると判定し、モードを店頭モードに切り替える。一方、店頭モード切替部１５１は、例えば、挿入部１３０に白ＣＡＳカードが挿入されていない場合、表示装置１００が店頭に設置されていないと判定し、モードを通常モードにする。店頭モード切替部１５１は、例えば、通常モードの場合、値が０である店頭フラグを通信部１６０を介してポータルサーバ２００へ送信する。ここで、店頭フラグは、店頭に設置されているか否かを示すフラグであり、例えば、店頭に設置されている場合に１を、店頭に設置されていない場合に０をとる。
なお、店頭モード切替部１５１は、白ＣＡＳカードに限らず、特定のカードが挿入部１３０に挿入された場合、表示装置１００が店頭に設置されていると判定してもよい。
【００４３】
通信部１６０は、制御部１５０に従って、ポータルサーバ２００と通信する。通信部１６０における通信は、有線であっても無線であってもよい。
動画制御部１７０は、チューナ１２０から供給された映像信号を表示部１８０に表示させる。
表示部１８０は、映像信号を表示する。また、表示部１８０は、ポータルサーバ２００から供給されたコンテンツ（例えば、ポータルサイトのコンテンツ）を表示する。
【００４４】
図３は、第１の実施形態におけるポータルサーバ２００の構成を示す概略ブロック図である。ポータルサーバ２００は、記憶部２１０と、通信部２２０と、制御部２３０とを備える。制御部２３０は、バス（母線）を介して記憶部２１０及び通信部２２０と相互に接続されている。
記憶部２１０には、制御部２３０が読み出して実行する各種のプログラムが記憶されている。
通信部２２０は、表示装置１００と通信する。例えば、通信部２２０は、表示装置１００から送信された画像情報を受信し、受信した画像情報を制御部２３０へ出力する。例えば、通信部２２０は、表示装置１００から送信された店頭フラグを受信し、受信した店頭フラグを制御部２３０へ出力する。また、通信部２２０は、データサーバ３００と通信する。例えば、通信部２２０は、データサーバ３００へ問い合わせをする。ここで、問い合わせは、一例として標章オブジェクト情報に対応する店名情報である。
【００４５】
制御部２３０は、通信部２２０から入力された画像情報に基づいて、表示装置１００が設置されている店名を判定する。そして、制御部２３０は、店名に応じたコンテンツを通信部２２０を介して表示装置１００へ送信する。ここで、制御部２３０は、環境情報取得部２３１と、判定部２３２と、切替部２３３とを備える。
【００４６】
環境情報取得部２３１は、表示装置１００が置かれている環境に関する情報である環境情報を取得する。環境情報取得部２３１は、撮像部１４０が撮像して得られた画像から、表示装置１００が設置されている店の標章の画像領域である標章オブジェクトを抽出する。例えば、環境情報取得部２３１は、撮像部１４０が撮像して得られた画像に含まれる標章オブジェクトのうち、最も多い標章オブジェクトを、表示装置１００が設置されている店の標章を示す標章オブジェクトとして抽出する。具体的には、例えば、環境情報取得部２３１は、当該画像から表示装置１００が設置されている量販店のロゴの画像領域を抽出する。環境情報取得部２３１は、この標章オブジェクト情報を判定部２３２へ出力する。
【００４７】
ここで、後述するデータサーバ３００の記憶部３１０には、標章オブジェクト情報と店名を示す店名情報とが関連付けられて記憶されている。
判定部２３２は、標章オブジェクト情報に対応する店名情報を要求する。判定部２３２は、その要求に応じてデータサーバ３００の記憶部３１０から、標章オブジェクト情報に対応する店名情報を取得することで、表示装置１００が設置されている店を判定する。具体的には、例えば、判定部２３２は、データサーバ３００の記憶部３１０から、量販店のロゴに対応する量販店名を取得することで、表示装置１００が設置されている量販店を判定する。
また、判定部２３２は、例えば、データサーバ３００の記憶部３１０に標章オブジェクト情報に対応する店名情報がない場合、該当する店名情報がないと判定し、該当する店名情報がない旨を切替部２３３へ出力する。
【００４８】
切替部２３３は、判定部２３２が判定した店に基づいて、コンテンツを切り替える。具体的には、例えば、切替部２３３は、判定部２３２が判定した量販店に競合する他社のリンクをはずしたポータルサイトのコンテンツを生成する。これにより、切替部２３３は、表示装置１００が設置されている量販店に競合する他店の情報をポータルサイトで表示させないようにすることができる。
【００４９】
また、例えば、切替部２３３は、判定部２３２から該当する店名情報がない旨が入力された場合、全ての量販店のリンクをはずしたポータルサイトのコンテンツを生成する。これにより、表示装置１００がデータサーバ３００に登録されていない量販店に設置されている場合、切替部２３３はいずれの量販店の情報もポータルサイトに表示させないようにすることができる。
【００５０】
また、例えば、切替部２３３は、表示装置１００から送信された店頭フラグが店頭でない旨を示す場合、全ての量販店のリンクを含むポータルサイトのコンテンツを生成する。これにより、表示装置１００が店頭に設置されていない場合（例えば、ユーザ宅に設置されている場合）、いずれの量販店の情報もポータルサイトに表示させるようにすることができる。これにより、表示装置１００のユーザは、いずれの量販店の情報も得ることができるので、ユーザの利便性を向上させることができる。
そして、切替部２３３は、通信部２２０を介して切り替えたコンテンツを表示装置１００へ送信する。
【００５１】
なお、本実施形態における切替部２３３は、判定部２３２が判定した量販店に競合する他社のリンクを外したポータルサイトのコンテンツを生成したが、これに限ったものではない。切替部２３３は、判定部２３２が判定した量販店に競合する他社のリンクをはずしたポータルサイトのコンテンツを予め保持しており、そのコンテンツを選択してもよい。また、切替部２３３は、判定部２３２が判定した量販店以外のリンクをはずしたポータルサイトのコンテンツを生成してもよい。また、切替部２３３は、判定部２３２が判定した量販店以外のリンクを外したポータルサイトのコンテンツを予め保持しており、そのコンテンツを選択してもよい。
【００５２】
図４は、第１の実施形態におけるデータサーバ３００の構成を示す概略ブロック図である。データサーバ３００は、記憶部３１０と、通信部３２０と、ＣＰＵ（Ｃｅｎｔｒａｌ  Ｐｒｏｃｅｓｓｉｎｇ  Ｕｎｉｔ）３３０とを備える。これらはバス（母線）を介して相互に接続されている。記憶部３１０には、上述したように、標章オブジェクト情報と店名を示す店名情報とが関連付けられて記憶されている。具体的には、例えば、記憶部３１０は、図５に示すテーブルＴ１を保持する。
通信部３２０は、ポータルサーバ２００と通信する。例えば、通信部３２０は、ポータルサーバ２００からの問い合わせを受ける。問い合わせは、一例として、標章オブジェクト情報に対応する店名情報の要求である。
【００５３】
ＣＰＵ３３０は、通信部３２０が標章オブジェクト情報に対応する店名情報の要求を受信した場合、その標章オブジェクト情報に対応する店名情報を記憶部３１０から読み出す。そして、ＣＰＵ３３０は、読み出した店名情報を、通信部３２０を介して、ポータルサーバ２００へ送信する。これにより、データサーバ３００は、ポータルサーバ２００からの要求に応じて、標章オブジェクト情報に対応する店名情報をポータルサーバ２００へ送信する。
【００５４】
図５は、データサーバ３００の記憶部３１０に記憶されているテーブルＴ１の一例である。同図において、量販店名、ロゴ、曲データ、郵便番号、緯度及び経度、ＳＳＩＤ（Ｓｅｒｖｉｃｅ  Ｓｅｔ  Ｉｄｅｎｔｉｆｉｅｒ）、ＩＰ（Ｉｎｔｅｒｎｅｔ  Ｐｒｏｔｏｃａｌ）アドレス、表示内容の組が示されている。ここで、ロゴは、量販店のロゴの画像ファイル名である。テーブルＴ１中の複数列挙とは、該当するものが複数、列挙されていることを意味する。曲データは、量販店で流れている曲（例えば、量販店のＣＭソング）で、曲の音声の波形データまたはＣＤＤＢ（Ｃｏｍｐａｃｔ  Ｄｉｓｃ  ＤａｔａＢａｓｅ）番号である。ＣＤＤＢ番号とは、ＣＤＤＢにおいてＣＤを識別する識別情報である。ＳＳＩＤは、無線ＬＡＮにおけるアクセスポイントの識別子である。表示内容は、該当する量販店名が選択された場合に、ポータルサイトに表示する内容である。例えば、Ｍ電機の場合、Ｍ電機のリンクアイコンと、Ｍ電機の広告と、Ｍ電機の注文ボタンをポータルサイトに表示することを示している。
【００５５】
例えば、データサーバ３００のＣＰＵ３３０は、ロゴに対応する量販店名を記憶部３１０から読み出すときに、ロゴに対応する表示内容も読み出してもよい。そして、ＣＰＵ３３０は、通信部３２０を介してその量販店名とその表示内容をポータルサーバ２００へ送信してもよい。これにより、ポータルサーバ２００は、量販店名が示す量販店に関して表示内容に示された内容を表示するようにしてもよい。例えば、量販店名がＭ電機で、表示内容がリンクアイコンと、広告と、注文ボタンの場合、ポータルサーバ２００は、Ｍ電機のリンクアイコンと、Ｍ電機の広告と、Ｍ電機の注文ボタンをポータルサイトに表示してもよい。
【００５６】
図６は、第１の実施形態における切替システム１の処理の流れの一例を示すシーケンス図である。
（Ｔ１０１）まず、表示装置１００は、白ＣＡＳカードが挿入されて、店頭デモモードを起動する。
（Ｔ１０２）次に、表示装置１００は、撮像部１４０を起動する。
（Ｔ１０３）次に、表示装置１００の撮像部１４０は、予め決められた枚数の画像を撮像する。
（Ｔ１０４）次に、表示装置１００は、インターネットに接続したときまたはポータルサイトを表示しようとしたときに、得られた画像をポータルサーバ２００へ送信する。
【００５７】
（Ｔ１０５）次に、ポータルサーバ２００は、画像を解析して画像中の最頻オブジェクトを抽出する。
（Ｔ１０６）次に、ポータルサーバ２００は、抽出した最頻オブジェクトをデータサーバ３００のロゴデータと照合し、一例として表示装置１００が設置されている量販店Ａと特定する。
（Ｔ１０７）次に、ポータルサーバ２００は、量販店Ａの競合他社のリンクをポータルサイトのページから削除する。
（Ｔ１０８）次に、表示装置１００は、ホーム画面を表示する。
（Ｔ１０９）次に、表示装置１００は、ショッピングアイコンの選択を受け付ける。
（Ｔ１１０）次に、表示装置１００は、ポータルサイトのページをポータルサーバ２００へ要求する。
（Ｔ１１１）次に、ポータルサーバ２００は、量販店Ａの競合他社のリンクが削除されたポータルサイトのページを表示装置１００へ送信する。これにより、表示装置１００は、量販店Ａの競合他社のリンクが削除されたポータルサイトのページを表示する。以上で、本シーケンスの処理を終了する。
【００５８】
図７は、表示装置１００に表示されるホーム画面の一例である。同図において、ホーム画面Ｇ１の下には、複数のアイコンが横に並んでいる。同図には、それらのアイコンのうち、向かって左から３番目のショッピングアイコンの拡大図Ｇ２が示されている。ここで、ショッピングアイコンが選択された場合、表示装置１００は、図８のポータルサイトのページへ画面遷移する。
【００５９】
図８は、表示装置１００に表示されるポータルサイトのページの一例である。同図において、表示装置１００が量販店Ｍの店頭にある場合、画面Ｇ３が表示される。画面Ｇ３には、量販店ＭのアイコンＲ３１が示されているが、量販店Ｍと競合する他社（例えば、Ａ電機）のアイコンが示されていない。このように、表示装置１００は、量販店Ｍの店頭では、量販店Ｍと競合する他社のアイコンは表示せず、量販店のうち量販店Ｍのアイコンのみを表示する。
また、同図において、表示装置１００が量販店Ａの店頭にある場合、画面Ｇ４が表示される。画面Ｇ４において、量販店ＡのアイコンＲ４１が示されているが、量販店Ａと競合する他社（例えば、Ｍ電機）のアイコンが示されていない。このように、表示装置１００は、量販店Ａの店頭では、量販店Ａと競合する他社のアイコンは表示せず、量販店のうち量販店Ａのアイコンのみを表示する。
【００６０】
また、同図において、表示装置１００がデータサーバ３００に登録されていない量販店の店頭にある場合、画面Ｇ５が表示される。画面Ｇ５において、量販店のアイコンが何も示されていない。
また、同図において、それ以外の場合（例えば、表示装置１００がユーザ宅にある場合など）、画面Ｇ６が表示される。画面Ｇ６において、量販店Ｍのアイコン（Ｍデンキとかかれたアイコン）と量販店Ａのアイコン（Ａデンキとかかれたアイコン）の両方が示されている。これにより、ユーザは、例えばユーザ宅において、量販店Ｍのアイコンも量販店Ａのアイコンも選択することができる。
【００６１】
以上、本実施形態における切替システム１において、撮像部１４０が表示装置１００が設置されている周囲を撮像する。そして、環境情報取得部２３１は、撮像部１４０が撮像して得られた画像から、表示装置１００が設置されている店の標章の画像領域である標章オブジェクトを抽出する。そして、判定部２３２は、標章オブジェクトを示す標章オブジェクト情報と店名を示す店名情報とが関連付けられて記憶されている記憶部３１０から、環境情報取得部２３１が抽出した標章オブジェクトを示す標章オブジェクト情報に対応する店名情報を取得することで、表示装置１００が設置されている店を判定する。そして、切替部２３３は、表示装置１００に表示させるコンテンツ中に、判定部２１１が判定した店に関する情報を含ませ、判定部２１１が判定した店に競合する他店の情報を含ませない。
【００６２】
これにより、切替システム１は、表示装置１００が設置されている店の情報を表示装置１００に表示し、表示装置１００が設置されている店に競合する他店の情報を表示装置１００に表示させないようにすることができる。その結果、表示装置１００は競合他店の情報を表示しないので、その店のお客さんに競合他店の情報を与えないようにすることができる。
【００６３】
また、切替部２３３は、判定部２３２が該当する店名情報がないと判定した場合、全ての量販店のリンクをはずしたポータルサイトのコンテンツを生成する。これにより、表示装置１００がデータサーバ３００に登録されていない量販店に設置されている場合、いずれの量販店の情報もポータルサイトに表示させないようにすることができる。このため、切替部２３３は、表示装置１００が設置されている量販店において、当該量販店に競合する他店の情報を表示させないようにすることができる。
【００６４】
また、切替部２３３は、表示装置１００から送信された店頭フラグが店頭でない旨を示す場合、全ての量販店のリンクを含むポータルサイトのコンテンツを生成する。これにより、表示装置１００が店頭に設置されていない場合（例えば、ユーザ宅に設置されている場合）、いずれの量販店の情報もポータルサイトに表示させるようにすることができる。これにより、表示装置１００のユーザは、いずれの量販店の情報も得ることができるので、ユーザの利便性を向上させることができる。
【００６５】
以上のように、切替システム１は、表示装置１００が設置されている場所に応じて、表示装置１００に適切なコンテンツを表示させることができる。
【００６６】
なお、本実施形態において、切替システム１は、一例として、画像から、量販店のロゴの画像領域を抽出し、抽出した量販店のロゴの画像領域から量販店名を判定したが、これに限ったものではない。切替システム１は、店員の服または店員の名札などの画像領域を抽出して、抽出した画像領域から量販店名を判定してもよい。
また、表示装置１００の制御部１５０は、自装置が店頭に設置されているか否か判定し、自装置が店頭に設置されていると判定した場合のみ、撮像部１４０が撮影した画像または映像を示す情報をポータルサーバ２００へ送信してもよい。具体的には、例えば、制御部１５０は、撮像部１４０が撮像した画像中に予め決められた台数以上の表示装置（例えば、テレビ受像機）が写っていた場合に、自装置が店頭に設置されていると判定してもよい。これにより、ポータルサーバ２００は、確実に表示装置１００が店頭に設置されている場合にのみ、画像または映像を解析するので、無駄な処理を低減することができ、負荷を軽減することができる。また、誤った画像情報をポータルサーバ２００へ送信するという誤動作が起こる頻度を減らすことができる。
【００６７】
＜変形例１＞
本実施形態において、ポータルサーバ２００が画像を解析して、画像内に含まれる量販店のロゴの画像領域のうち最も多い量販店名のロゴを抽出し、抽出した量販店名のロゴから量販店名を判定したが、これに限ったものではない。上記の処理を表示装置１００が行ってもよい。その場合、ポータルサーバ２００ではなく表示装置１００が、環境情報取得部２３１と判定部２３２に相当する部材を備えることができる。
【００６８】
その場合、例えば、表示装置１００の記憶部１１０には、量販店名のロゴと量販店名が関連付けられて予め記憶されている。例えば、表示装置１００の環境情報取得部２３１に相当する部材が、撮像部１４０が撮像した画像内に含まれる量販店のロゴの画像領域のうち最も多い量販店名のロゴを抽出する。そして、例えば、表示装置１００の判定部２３２に相当する部材は、抽出したロゴに対応する量販店名を記憶部１１０から読み出すことで、表示装置１００が設置されている量販店を判定する。そして、表示装置１００の判定部２３２に相当する部材は、量販店名を示す情報を通信部１６０を介してポータルサーバ２００へ送信する。これにより、ポータルサーバ２００の切替部２３３は、判定された量販店に競合する他社の情報をポータルサイトのコンテンツから除外する。
【００６９】
＜変形例２＞
ポータルサーバ２００は、更に店頭判定部を備えていてもよい。その場合、店頭判定部は、撮像部１４０が撮像して得られた画像または映像に基づいて、表示装置１００が店頭に設置されているか否か判定してもよい。具体的には、例えば、店頭判定部は、予め決められた台数以上の表示装置（例えば、テレビ受像機）が画像または映像に写っていたら、表示装置１００が店頭に設置されていると判定してもよい。この例のように、店頭判定部は、例えば、撮像部１４０が撮像して得られた画像に含まれる表示装置のオブジェクトを抽出し、該抽出したオブジェクトの数に基づいて、表示装置１００が店頭に設置されているか否か判定してもよい。
【００７０】
また、店頭判定部は、例えば、撮像部１４０が撮像して得られた画像または映像内で、互いに同じ映像を表示している表示装置（例えば、テレビ受像機）が予め決められた台数以上写っていたら、表示装置１００が店頭に設置されていると判定してもよい。この例のように、店頭判定部は、例えば、店頭判定部は、撮像部１４０が撮像して得られた画像から、互いに同じ映像を表示している表示装置のオブジェクトを抽出し、該抽出したオブジェクトの数に基づいて、表示装置１００が店頭に設置されているか否か判定してもよい。
【００７１】
また、店頭判定部は、例えば、撮像部１４０が撮像して得られた画像または映像内で、予め決められた本数以上の、のぼりが写っていたら、表示装置１００が店頭に設置されていると判定してもよい。この例のように、店頭判定部は、例えば、撮像部１４０が撮像して得られた画像に含まれる特定のオブジェクトを抽出し、該抽出したオブジェクトの数に基づいて、表示装置１００が店頭に設置されているか否か判定してもよい。ここで、特定のオブジェクトは、例えば、のぼり、パネル、卓上スタンド、プライスカード、天吊り等の店頭に設置されている物のオブジェクトである。
【００７２】
そして、店頭判定部が店頭に設置されていると判定した場合、環境情報取得部２３１は、標章オブジェクトを抽出し、判定部２３２は判定を実施し、切替部２３３は切替を実施してもよい。これにより、ポータルサーバ２００は、表示装置１００が店頭に設置されていると判定した場合に、判定を実行する。これにより、表示装置１００が白ＣＡＳカードを挿入されていない状態で店頭に設置された場合であっても、表示装置１００が設置されている量販店に競合する他店の情報を表示装置１００に表示させないようにすることができる。その結果、表示装置１００は競合他店の情報を表示しないので、その店のお客さんに競合他店の情報を与えないようにすることができる。
【００７３】
＜変形例３＞
なお、表示装置１００が上述した変形例１におけるポータルサーバ２００の処理をおこなってもよい。その場合、ポータルサーバ２００の代わりに表示装置１００が店頭判定部、環境情報取得部２３１、判定部２３２、切替部２３３に相当する部材を備えるように構成してもよい。
【００７４】
＜第２の実施形態＞
続いて、第２の実施形態について説明する。図９は、第２の実施形態における切替システム１ｂの構成を示す概略ブロック図である。図９の切替システム１ｂは、表示装置１００ｂと、ポータルサーバ（切替装置）２００ｂと、データサーバ３００ｂとを備える。第１の実施形態における切替システム１は、撮像部１４０が撮像した画像に基づいて表示装置１００が設置されている店を判定した。それに対し、第２の実施形態における切替システム１ｂは、表示装置１００ｂが録音した音声、楽音を含む音響に基づいて表示装置１００ｂが設置されている店を判定する。
【００７５】
図１０は、第２の実施形態における表示装置１００ｂの構成を示す概略ブロック図である。図２と共通する要素には同一の符号を付し、その具体的な説明を省略する。図１０の表示装置１００ｂの構成は、図２の表示装置１００の構成に対して、制御部１５０が制御部１５０ｂに変更され、収音部１９０が追加されたものになっている。
収音部１９０は、表示装置１００ｂの周囲の音響を収音する。例えば、収音部１９０は、表示装置１００ｂが設置されている量販店のＢＧＭ（例えば、店名を連呼するＣＭソング）を収音する。そして、収音部１９０は、収音して得られた音響信号をデジタル信号へ変換する。
【００７６】
制御部１５０ｂは、第１の実施形態の制御部１５０と同様の機能を有するが、以下の点で異なる。制御部１５０ｂは、そのデジタル音声信号を記憶部１１０に記憶させる。これにより、制御部１５０ｂは、例えば、表示装置１００ｂが設置されている量販店のＢＧＭを予め決められた時間だけ録音することができる。制御部１５０ｂは、録音したデジタル音声信号をポータルサーバ２００ｂへ出力する。
【００７７】
図１１は、第２の実施形態におけるポータルサーバ２００ｂの構成を示す概略ブロック図である。図３と共通する要素には同一の符号を付し、その具体的な説明を省略する。図１１のポータルサーバ２００ｂの構成は、図３のポータルサーバ２００の構成に対して、制御部２３０が制御部２３０ｂに変更されたものになっている。制御部２３０ｂは制御部２３０に比べて、環境情報取得部２３１が環境情報取得部２３１ｂに、判定部２３２が判定部２３２ｂに変更されたものになっている。
【００７８】
環境情報取得部２３１ｂは、曲名取得部２３４を備える。曲名取得部２３４は、収音部１９０が録音した音声から、該音声の曲名を取得する。具体的には、例えば、曲名取得部２３４は、制御部１５０ｂが録音した楽音を公知の音響解析方式で解析して曲名を判定する。
【００７９】
ここで、データサーバ３００ｂの記憶部３１０ｂには、例えば、曲名を示す曲名情報と店名（例えば、量販店名）を示す店名情報とが関連付けられて記憶されているものとする。
判定部２３２ｂは、例えば、データサーバ３００ｂの記憶部３１０ｂから、曲名取得部２３４が取得した曲名に対応する店名情報を取得することで、表示装置１００ｂが設置されている量販店名を判定する。
【００８０】
なお、曲名取得部２３４は、他の楽曲データベース（不図示）へ制御部１５０ｂが録音した楽音を送信し、他の楽曲データベースからその楽音に対応する楽曲データを取得してもよい。その場合、判定部２３２ｂは、楽曲データから量販店名を判定してもよい。具体的には、例えば、判定部２３２ｂは、楽曲データに「Ｍ電機ＣＭソング」という曲名が含まれている場合、Ｍ電機と判定してもよい。
また、制御部２３０ｂは、音声解析して量販店のＢＧＭ中で連呼されている店名を量販店名として判定してもよい。
【００８１】
図１２は、第２の実施形態におけるデータサーバ３００ｂの構成を示す概略ブロック図である。図４と共通する要素には同一の符号を付し、その具体的な説明を省略する。図１２のデータサーバ３００ｂの構成は、図４のデータサーバ３００の構成に対して、記憶部３１０が記憶部３１０ｂに変更されたものになっている。
記憶部３１０ｂには、上述したように、例えば、曲名を示す曲名情報と店名（例えば、量販店名）を示す店名情報とが関連付けられて記憶されている。
【００８２】
図１３は、第２の実施形態における切替システム１ｂの処理の流れの一例を示すシーケンス図である。
（Ｔ２０１）まず、表示装置１００ｂは、白ＣＡＳカードが挿入されて、店頭デモモードを起動する。
（Ｔ２０２）次に、表示装置１００ｂは、収音部１９０を起動する。
（Ｔ２０３）次に、表示装置１００ｂの収音部１９０は、予め決められた時間だけ周囲の音声を録音する。
（Ｔ２０４）次に、表示装置１００ｂは、インターネットに接続したときまたはポータルサイトを表示しようとしたときに、録音データをポータルサーバ２００ｂへ送信する。
【００８３】
（Ｔ２０５）次に、ポータルサーバ２００ｂは、録音データを音声解析して曲名を特定する。
（Ｔ２０６）次に、ポータルサーバ２００ｂは、抽出した曲名をデータサーバ３００の曲名と照合することで、一例として表示装置１００ｂが設置されている量販店Ａと特定する。
（Ｔ２０７）次に、ポータルサーバ２００ｂは、量販店Ａの競合他社のリンクをポータルサイトのページから削除する。
（Ｔ２０８）次に、表示装置１００ｂは、ホーム画面を表示する。
（Ｔ２０９）次に、表示装置１００ｂは、ショッピングアイコンの選択を受け付ける。
（Ｔ２１０）次に、表示装置１００ｂは、ポータルサイトのページをポータルサーバ２００ｂへ要求する。
（Ｔ２１１）次に、ポータルサーバ２００ｂは、量販店Ａの競合他社のリンクが削除されたポータルサイトのページを表示装置１００ｂへ送信する。これにより、表示装置１００ｂは、量販店Ａの競合他社のリンクが削除されたポータルサイトのページを表示する。以上で、本シーケンスの処理を終了する。
【００８４】
以上、第２の実施形態における切替システム１ｂにおいて、収音部１９０は、表示装置１００ｂが設置されている周囲の音声を録音する。そして、環境情報取得部２３１ｂは、収音部１９０が録音した音声から、該音声の曲名を取得する。そして、判定部２３２ｂは、曲名を示す曲名情報と店名を示す店名情報とが関連付けられて記憶されている記憶部３１０ｂから、環境情報取得部２３１ｂが取得した曲名を示す曲名情報に対応する店名情報を取得することで、表示装置１００ｂが設置されている店を判定する。
【００８５】
これにより、切替システム１ｂは、表示装置１００ｂが設置されている店の情報を表示装置１００ｂに表示し、表示装置１００ｂが設置されている店に競合するところの他店の情報を表示装置１００ｂに表示させないようにすることができる。その結果、表示装置１００ｂは競合他店の情報を表示しないので、その店のお客さんに競合他店の情報を与えないようにすることができる。
【００８６】
なお、表示装置１００ｂが上述したポータルサーバ２００ｂの処理を行ってもよい。その場合、ポータルサーバ２００ｂの代わりに表示装置１００ｂが環境情報取得部２３１ｂ、判定部２３２ｂ及び切替部２３３を備えるように構成してもよい。
【００８７】
＜第３の実施形態＞
続いて、第３の実施形態について説明する。図１４は、第３の実施形態における切替システム１ｃの構成を示す概略ブロック図である。図１４の切替システム１ｃは、表示装置１００ｃと、ポータルサーバ（切替装置）２００ｃと、外部データサーバ４００とを備える。外部データサーバ４００は、郵便番号データベース４１０を備える。郵便番号データベース４１０には、例えば、郵便番号を示す郵便番号情報と量販店名を示す量販店名情報とが関連づけられて記憶されている。
【００８８】
表示装置１００ｃは、例えば、ユーザが入力した郵便番号を示す郵便番号情報をポータルサーバ２００ｃへ送信する。ポータルサーバ２００ｃは、例えば、受信した郵便番号情報に対応する量販店名情報を外部データサーバ４００に要求する。外部データサーバ４００は、例えば、要求に応じて郵便番号情報に対応する量販店名情報を読み出し、読み出した量販店名情報をポータルサーバ２００ｃへ送信する。ポータルサーバ２００ｃは、例えば、受信した量販店名情報が示す量販店名を有する量販店に競合する他社のリンクをポータルサイトのページから削除する。そして、ポータルサーバ２００ｃは、例えば、その削除後のポータルサイトのページをコンテンツとして表示装置１００ｃに送信する。これにより、表示装置１００ｃは、表示装置１００ｃが設置されている量販店に競合する他社のリンクを外したポータルサイトのページを表示することができる。
【００８９】
図１５は、第３の実施形態における表示装置１００ｃの構成を示す概略ブロック図である。図２と共通する要素には同一の符号を付し、その具体的な説明を省略する。図１５の表示装置１００ｃの構成は、図２の表示装置１００の構成に対して、記憶部１１０が記憶部１１０ｃに、制御部１５０が制御部１５０ｃに変更されたものになっている。
入力部１０１は、表示装置１００の操作者（例えば、表示装置１００が設置された店の店員）が入力した郵便番号を受け付け、受け付けた郵便番号を示す郵便番号情報を制御部１５０ｃへ出力する。制御部１５０ｃは、入力部１０１から入力された郵便番号情報を記憶部１１０ｃに記憶させる。これにより、記憶部１１０ｃには、郵便番号情報が記憶される。
【００９０】
制御部１５０ｃは、店頭モード切替部１５１と、環境情報取得部１５２とを備える。環境情報取得部１５２は、表示装置１００ｃの位置情報を取得する。ここで、環境情報取得部１５２は、本体設定取得部１５３を備える。本体設定取得部１５３は記憶部１１０ｃから郵便番号情報を読み出すことで、郵便番号を取得する。そして、本体設定取得部１５３は、取得した郵便番号情報を通信部１６０を介してポータルサーバ２００ｃに送信する。
【００９１】
図１６は、第３の実施形態におけるポータルサーバ２００ｃの構成を示す概略ブロック図である。図３と共通する要素には同一の符号を付し、その具体的な説明を省略する。図１６のポータルサーバ２００ｃの構成は、図３のポータルサーバ２００の構成に対して、制御部２３０が制御部２３０ｃに変更されたものになっている。ここで、制御部２３０ｃは、判定部２３２ｃと、切替部２３３とを備える。
【００９２】
判定部２３２ｃは、通信部２２０が表示装置１００ｃから受信した郵便番号情報を、通信部２２０から外部データサーバ４００に送信するとともに、その郵便番号情報が示す郵便番号に対応する量販店名を要求する。そして、通信部２２０は、要求に応じて外部データサーバ４００が送信した量販店名を受信する。そして、判定部２３２ｃは、例えば、通信部２２０が受信した量販店名を取得することで、表示装置１００ｃが設置されている店を判定する。判定部２３２ｃは、取得した量販店名を示す量販店名情報を切替部２３３へ出力する。
【００９３】
この例のように、判定部２３２ｃは環境情報取得部１５２が取得した位置情報（例えば、表示装置１００ｃが設置されている店の郵便番号、または表示装置１００ｃが設置されている場所の緯度及び経度）に基づいて、表示装置１００ｃが設置されている店を判定する。
なお、判定部２３２ｃは、表示装置１００ｃのネットワーク上の位置に関する情報（例えば、ＩＰアドレス）に基づいて、表示装置１００ｃが設置されている店を判定してもよい。
【００９４】
図１７は、第３の実施形態における外部データサーバ４００の構成を示す概略ブロック図である。外部データサーバ４００は、郵便番号データベース４１０と、通信部４２０と、ＣＰＵ４３０とを備える。郵便番号データベース４１０は、例えば、郵便番号を示す郵便番号情報と店名（例えば、量販店名）を示す店名情報とが関連付けられて記憶されている。
通信部４２０は、ポータルサーバ２００ｃと通信する。通信部４２０は、例えば、ポータルサーバ２００ｃから郵便番号情報と郵便番号に対応する店名の要求を受信した場合、受信した郵便番号情報をＣＰＵ４３０に出力する。ＣＰＵ４３０は、通信部４２０が受信した郵便番号情報に対応する店名情報を読み出し、読み出した店名情報を通信部４２０からポータルサーバ２００ｃへ送信する。
【００９５】
図１８は、第３の実施形態における切替システム１ｃの処理の流れの一例を示すシーケンス図である。
（Ｔ３０１）まず、表示装置１００ｃは、白ＣＡＳカードが挿入されて、店頭デモモードを起動する。
（Ｔ３０２）次に、表示装置１００ｃは、記憶部１１０ｃから読み出して郵便番号情報を取得する。
（Ｔ３０３）次に、表示装置１００ｃは、インターネットに接続したときまたはポータルサイトを表示しようとしたときに、郵便番号情報をポータルサーバ２００ｃへ送信する。
【００９６】
（Ｔ３０４）次に、ポータルサーバ２００ｃは、郵便番号情報を外部データサーバ４００と照合することで、量販店名Aを特定する。
（Ｔ３０５）次に、ポータルサーバ２００ｃは、量販店Ａの競合他社のリンクをポータルサイトのページから削除する。
（Ｔ３０６）次に、表示装置１００ｃは、ホーム画面を表示する。
（Ｔ３０７）次に、表示装置１００ｃは、ショッピングアイコンの選択を受け付ける。
（Ｔ３０８）次に、表示装置１００ｃは、ポータルサイトのページをポータルサーバ２００ｃへ要求する。
（Ｔ３０９）次に、ポータルサーバ２００ｃは、量販店Ａの競合他社のリンクが削除されたポータルサイトのページを表示装置１００ｃへ送信する。これにより、表示装置１００ｃは、量販店Ａの競合他社のリンクが削除されたポータルサイトのページを表示する。以上で、本シーケンスの処理を終了する。
【００９７】
以上、第３の実施形態における切替システム１ｃにおいて、環境情報取得部１５２は、表示装置１００ｃが設置されている店の郵便番号を取得する。判定部２３２ｃは環境情報取得部１５２が取得した郵便番号に基づいて、表示装置１００ｃが設置されている店を判定する。これにより、切替システム１ｃは、表示装置１００ｃが設置されている店の情報を表示装置１００ｃに表示し、表示装置１００ｃが設置されている店に競合する他店の情報を表示装置１００ｃに表示させないようにすることができる。その結果、表示装置１００ｃは競合他店の情報を表示しないので、その店のお客さんに競合他店の情報を与えないようにすることができる。
【００９８】
なお、本実施形態では、環境情報取得部１５２は、一例として、表示装置１００ｃの位置情報として郵便番号を取得したが、これに限らず、ＧＰＳ（Ｇｌｏｂａｌ  Ｐｏｓｉｔｉｏｎｉｎｇ  Ｓｙｓｔｅｍ）測位により緯度及び経度を取得して、取得した緯度及び経度をポータルサーバ２００へ送信してもよい。その場合、例えば、外部データサーバ４００には、緯度及び経度の組と、量販店名とが関連付けられて記憶されている。そして、ポータルサーバ２００は、例えば、表示装置１００ｃから受信した緯度及び経度の組に対応する量販店名を外部データサーバ４００から読み出すことで、量販店名を判定してもよい。
また、本実施形態では、表示装置１００ｃが店頭デモモードにある場合を想定したが、これに限らず、表示装置１００ｃが店頭デモモードでなくてもよい。
【００９９】
＜第４の実施形態＞
続いて、第４の実施形態について説明する。図１９は、第４の実施形態における切替システム１ｄの構成を示す概略ブロック図である。図１９の切替システム１ｄは、表示装置１００ｄと、ポータルサーバ（切替装置）２００ｄと、データサーバ３００とを備える。図１と共通する要素には同一の符号を付し、その具体的な説明を省略する。第４の実施形態における切替システム１ｄにおいて、表示装置１００ｄは無線ＬＡＮルータのＳＳＩＤをポータルサーバ２００ｄへ送信する。ポータルサーバ２００ｄは、表示装置１００ｄから受信したＳＳＩＤ（サービスセット識別子）に基づいて、表示装置１００ｄが設置されている店名を判定する。
【０１００】
図２０は、第４の実施形態における表示装置１００ｄの構成を示す概略ブロック図である。図２と共通する要素には同一の符号を付し、その具体的な説明を省略する。図２０の表示装置１００ｄの構成は、図２の表示装置１００の構成に対して、記憶部１１０が記憶部１１０ｄに、制御部１５０が制御部１５０ｄに変更されたものになっている。ここで、制御部１５０ｄは、店頭モード切替部１５１と、環境情報取得部１５２ｄとを備える。
【０１０１】
環境情報取得部１５２ｄは、通信設定取得部１５４を備える。通信設定取得部１５４は、表示装置１００ｄの通信設定情報を取得する。具体的には、例えば、通信設定取得部１５４は、表示装置１００ｄが通信する無線ＬＡＮルータのＳＳＩＤを無線ＬＡＮルータから取得する。環境情報取得部１５２ｄは、取得したＳＳＩＤを通信部１６０からポータルサーバ２００ｄへ送信する。
【０１０２】
図２１は、第４の実施形態におけるポータルサーバ２００ｄの構成を示す概略ブロック図である。図３と共通する要素には同一の符号を付し、その具体的な説明を省略する。図２１のポータルサーバ２００ｄの構成は、図３のポータルサーバ２００の構成に対して、制御部２３０が制御部２３０ｄに変更されたものになっている。ここで、制御部２３０ｄは、判定部２３２ｄと、切替部２３３とを備える。
【０１０３】
判定部２３２ｄは、例えば、通信部２２０が表示装置１００ｄから受信したＳＳＩＤに対応する店名情報をデータサーバ３００の記憶部３１０から読み出すことで、表示装置１００ｄが設置されている量販店名を判定する。この例のように、判定部２３２ｄは、環境情報取得部１５２ｄが取得した通信設定情報に基づいて、表示装置１００ｄが設置されている店を判定する。
【０１０４】
以上、第４の実施形態における切替システム１ｄにおいて、環境情報取得部１５２ｄは、表示装置１００ｄの通信の設定に関する通信設定情報を取得する。判定部２３２ｄは環境情報取得部１５２ｄが取得した通信設定情報に基づいて、表示装置１００ｄが設置されている店を判定する。これにより、切替システム１ｄは、表示装置１００ｄが設置されている店の情報を表示装置１００ｄに表示し、表示装置１００ｄが設置されている店に競合する他店の情報を表示装置１００ｄに表示させないようにすることができる。その結果、表示装置１００ｄは競合他店の情報を表示しないので、その店のお客さんに競合他店の情報を与えないようにすることができる。
【０１０５】
なお、本実施形態では、表示装置１００ｄが店頭デモモードにある場合を想定したが、これに限らず、表示装置１００ｄが店頭デモモードになくてもよい。
【０１０６】
＜第５の実施形態＞
続いて、第５の実施形態について説明する。図２２は、第５の実施形態における切替システム１ｅの構成を示す概略ブロック図である。図２２の切替システム１ｅは、表示装置１００ｅと、ポータルサーバ（切替装置）２００ｅと、データサーバ３００とを備える。図１と共通する要素には同一の符号を付し、その具体的な説明を省略する。第５の実施形態における切替システム１ｅにおいて、表示装置１００ｅは店内放送信号を受信し、受信した店内放送信号から番組名を抽出する。そして、表示装置１００ｅは抽出した番組名をポータルサーバ２００ｅへ送信する。ポータルサーバ２００ｅは、表示装置１００ｅから受信した番組名に基づいて、表示装置１００ｅが設置されている店名を判定する。
【０１０７】
図２３は、第５の実施形態における表示装置１００ｅの構成を示す概略ブロック図である。図２と共通する要素には同一の符号を付し、その具体的な説明を省略する。図２３の表示装置１００ｅの構成は、図２の表示装置１００の構成に対して、チューナ１２０がチューナ１２０ｅに、制御部１５０が制御部１５０ｅに変更されたものになっている。ここで、制御部１５０ｅは、店頭モード切替部１５１と、環境情報取得部１５２ｅとを備える。
【０１０８】
チューナ１２０ｅは、第１の実施形態におけるチューナ１２０と比較して、以下の機能が追加されている。チューナ１２０ｅは、店内放送信号を受信し、受信した店内放送信号を制御部１５０ｅへ出力する。ここで、店内放送信号は、店内における放送のために送信された信号である。
環境情報取得部１５２ｅは、番組情報取得部１５５を備える。番組情報取得部１５５は、チューナ１２０ｅが受信する店内放送信号から番組情報を取得する。ここで、番組情報は、表示装置１００ｅが設置された店内で放送されている番組に関する情報である。例えば、番組情報は、番組の名称、番組に関するメタデータまたは表示装置１００ｅが設置されている店名を示す。
例えば、番組情報取得部１５５は、店内放送信号から番組名を抽出する。番組情報取得部１５５は、取得した番組名を示す番組名情報を通信部１６０からポータルサーバ２００ｅへ送信する。
【０１０９】
図２４は、第５の実施形態におけるポータルサーバ２００ｅの構成を示す概略ブロック図である。図３と共通する要素には同一の符号を付し、その具体的な説明を省略する。図２４のポータルサーバ２００ｅの構成は、図３のポータルサーバ２００の構成に対して、制御部２３０が制御部２３０ｅに変更されたものになっている。ここで、制御部２３０ｅは、判定部２３２ｅと、切替部２３３とを備える。
【０１１０】
判定部２３２ｅは、例えば、通信部２２０が表示装置１００ｅから受信した番組名情報に対応する量販店名を、データサーバ３００の記憶部３１０から読み出すことで、表示装置１００ｅが設置されている量販店を判定する。この例のように、判定部２３２ｅは、環境情報取得部１５２ｅが取得した番組情報に基づいて、表示装置１００ｅが設置されている店を判定する。
【０１１１】
図２５は、第５の実施形態における切替システム１ｅの処理の流れの一例を示すシーケンス図である。
（Ｔ４０１）まず、表示装置１００ｅは、白ＣＡＳカードが挿入されて、店頭デモモードを起動する。
（Ｔ４０２）次に、表示装置１００ｅは、店内放送信号を受信する。
（Ｔ４０３）次に、表示装置１００ｅは、店内放送信号から番組名を抽出する。
（Ｔ４０４）次に、表示装置１００ｅは、インターネットに接続したときまたはポータルサイトを表示しようとしたときに、抽出した番組名を示す番組名情報をポータルサーバ２００ｅへ送信する。
【０１１２】
（Ｔ４０５）次に、ポータルサーバ２００ｅは、番組名情報をデータサーバ３００と照合することで、量販店名Ａを特定する。
（Ｔ４０６）次に、ポータルサーバ２００ｅは、量販店Ａの競合他社のリンクをポータルサイトのページから削除する。
（Ｔ４０７）次に、表示装置１００ｅは、ホーム画面を表示する。
（Ｔ４０８）次に、表示装置１００ｅは、ショッピングアイコンの選択を受け付ける。
（Ｔ４０９）次に、表示装置１００ｅは、ポータルサイトのページをポータルサーバ２００ｅへ要求する。
（Ｔ４１０）次に、ポータルサーバ２００ｅは、量販店Ａの競合他社のリンクが削除されたポータルサイトのページを表示装置１００ｅへ送信する。これにより、表示装置１００ｅは、量販店Ａの競合他社のリンクが削除されたポータルサイトのページを表示する。以上で、本シーケンスの処理を終了する。
【０１１３】
以上、第５の実施形態における切替システム１ｅにおいて、環境情報取得部１５２ｅは、表示装置１００ｅが受信する店内放送信号から番組情報を取得する。そして、判定部２３２ｅは環境情報取得部１５２ｅが取得した番組情報に基づいて、表示装置１００ｅが設置されている店を判定する。これにより、切替システム１ｅは、表示装置１００ｅが設置されている店の情報を表示装置１００ｅに表示し、表示装置１００ｅが設置されている店に競合する他店の情報を表示装置１００ｅに表示させないようにすることができる。その結果、表示装置１００ｅは競合他店の情報を表示しないので、その店のお客さんに競合他店の情報を与えないようにすることができる。
【０１１４】
なお、番組情報取得部１５５は、店内放送信号から番組メタデータを抽出してもよい。その場合、判定部２３２ｅは、その番組メタデータに対応する量販店名をデータサーバ３００の記憶部３１０から取得することで、量販店名を判定してもよい。
また、本実施形態では、表示装置１００ｅが店頭デモモードにある場合を想定したが、これに限らず、表示装置１００ｅが店頭デモモードでなくてもよい。
【０１１５】
＜第６の実施形態＞
続いて、第６の実施形態について説明する。図２６は、第６の実施形態における切替システム１ｆの構成を示す概略ブロック図である。図２６の切替システム１ｆは、表示装置１００ｆと、ポータルサーバ（切替装置）２００ｆと、データサーバ３００とを備える。図１と共通する要素には同一の符号を付し、その具体的な説明を省略する。第６の実施形態における切替システム１ｆにおいて、例えば、表示装置１００ｆは量販店名の一覧を表示する。そして、表示装置１００ｆは、例えば、店員により選択された量販店名を受け付け、受け付けた量販店名を示す量販店名情報をポータルサーバ２００ｆへ送信する。ポータルサーバ２００ｆは、表示装置１００ｆから受信した量販店名情報が示す量販店名を、表示装置１００ｆが設置されている量販店名と判定する。
【０１１６】
図２７は、第６の実施形態における表示装置１００ｆの構成を示す概略ブロック図である。図２と共通する要素には同一の符号を付し、その具体的な説明を省略する。図２７の表示装置１００ｆの構成は、図２の表示装置１００の構成に対して、記憶部１１０が記憶部１１０ｆに、制御部１５０が制御部１５０ｆに変更されたものになっている。ここで、制御部１５０ｆは、店頭モード切替部１５１と、環境情報取得部１５２ｆとを備える。
【０１１７】
記憶部１１０ｆには、量販店名を示す量販店名情報が記憶されている。
入力部１０１は、例えば、店員により選択された量販店名を受け付ける。この例のように、入力部１０１は、表示装置１００ｆを操作する操作者が入力した店名を受け付ける。そして、入力部１０１は、受け付けた量販店名を示す量販店名情報を制御部１５０ｆへ出力する。
【０１１８】
環境情報取得部１５２ｆは、外部入力取得部１５６を備える。外部入力取得部１５６は、記憶部１１０ｆに記憶されている量販店名情報が示す量販店名を表示部１８０に一覧表示する。また、外部入力取得部１５６は、例えば、入力部１０１から入力された量販店名情報を取得する。この例のように、外部入力取得部１５６は、入力部１０１が受け付けた店名を示す店名情報を取得する。そして、外部入力取得部１５６は、取得した量販店名情報を通信部１６０からポータルサーバ２００ｆへ送信する。
【０１１９】
図２８は、第６の実施形態におけるポータルサーバ２００ｆの構成を示す概略ブロック図である。図３と共通する要素には同一の符号を付し、その具体的な説明を省略する。図２８のポータルサーバ２００ｆの構成は、図３のポータルサーバ２００の構成に対して、制御部２３０が制御部２３０ｆに変更されたものになっている。ここで、制御部２３０ｆは、判定部２３２ｆと、切替部２３３とを備える。
【０１２０】
判定部２３２ｆは、例えば、通信部２２０が表示装置１００ｆから受信した量販店名情報を取得する。そして、判定部２３２ｆは、例えば、取得した量販店名情報が示す量販店名を表示装置１００ｅが設置されている量販店と判定する。この例のように、判定部２３２ｆは環境情報取得部１５２ｆが取得した店名情報が示す店名を表示装置１００ｆが設置されている店と判定する。
【０１２１】
図２９は、第６の実施形態における切替システム１ｆの処理の流れの一例を示すシーケンス図である。
（Ｔ５０１）まず、表示装置１００ｆは、白ＣＡＳカードが挿入されて、店頭デモモードを起動する。
（Ｔ５０２）次に、表示装置１００ｆは、量販店名の一覧を表示する。
（Ｔ５０３）次に、表示装置１００ｆは、量販店名の選択を受け付ける。
（Ｔ５０４）次に、表示装置１００ｆは、インターネットに接続したときまたはポータルサイトを表示しようとしたときに、選択された量販店名を示す量販店名情報をポータルサーバ２００ｆへ送信する。
【０１２２】
（Ｔ５０５）次に、ポータルサーバ２００ｆは、表示装置１００ｆが設置されている量販店名を、受信した量販店名情報が示す量販店名Ａとする。
（Ｔ５０６）次に、ポータルサーバ２００ｆは、量販店Ａの競合他社のリンクをポータルサイトのページから削除する。
（Ｔ５０７）次に、表示装置１００ｆは、ホーム画面を表示する。
（Ｔ５０８）次に、表示装置１００ｆは、ショッピングアイコンの選択を受け付ける。
（Ｔ５０９）次に、表示装置１００ｆは、ポータルサイトのページをポータルサーバ２００ｆへ要求する。
（Ｔ５１０）次に、ポータルサーバ２００ｆは、量販店Ａの競合他社のリンクが削除されたポータルサイトのページを表示装置１００ｆへ送信する。これにより、表示装置１００ｆは、量販店Ａの競合他社のリンクが削除されたポータルサイトのページを表示する。以上で、本シーケンスの処理を終了する。
【０１２３】
以上、第６の実施形態における切替システム１ｆにおいて、入力部１０１は、表示装置１００ｆを操作する操作者が入力した店名を受け付ける。そして、環境情報取得部１５２ｆは、入力部１０１が受け付けた店名を示す店名情報を取得する。そして、判定部２３２ｆは環境情報取得部１５２ｆが取得した店名情報が示す店名を表示装置１００ｆが設置されている店と判定する。これにより、切替システム１ｆは、表示装置１００ｆが設置されている店の情報を表示装置１００ｆに表示し、表示装置１００ｆが設置されている店に競合する他店の情報を表示装置１００ｆに表示させないようにすることができる。その結果、表示装置１００ｆは競合他店の情報を表示しないので、その店のお客さんに競合他店の情報を与えないようにすることができる。
【０１２４】
＜第７の実施形態＞
続いて、第７の実施形態について説明する。図３０は、第７の実施形態における切替システム１ｇの構成を示す概略ブロック図である。図３０の切替システム１ｇは、表示装置１００ｇと、ポータルサーバ（切替装置）２００ｇと、データサーバ３００とを備える。図１と共通する要素には同一の符号を付し、その具体的な説明を省略する。第７の実施形態では、一例として、表示装置１００ｇの初期設定で用いられる郵便番号の入力欄を、特定のコードを入力するための欄として用いる。
【０１２５】
第７の実施形態における切替システム１ｇにおいて、例えば、表示装置１００ｇは、表示装置１００ｇの初期設定で用いられる郵便番号の入力欄を表示する。そして、表示装置１００ｇは、例えば、郵便番号の入力欄に含まれる郵便番号下４桁の入力欄に店員が入力した４桁の特定のコードを受け付ける。ここで、データサーバ３００において、４桁の特定のコードと量販店名とが関連付けられているものとする。表示装置１００ｇは、受け付けた特定のコードを示す特定コード情報をポータルサーバ２００ｇへ送信する。ポータルサーバ２００ｇは、表示装置１００ｇから受信した特定コード情報に対応する量販店名情報をデータサーバ３００の記憶部３１０から取得することで、表示装置１００ｇが設置されている量販店名を判定する。
【０１２６】
図３１は、第７の実施形態における表示装置１００ｇの構成を示す概略ブロック図である。図２と共通する要素には同一の符号を付し、その具体的な説明を省略する。図３１の表示装置１００ｇの構成は、図２の表示装置１００の構成に対して、記憶部１１０が記憶部１１０ｇに、制御部１５０が制御部１５０ｇに変更されたものになっている。ここで、制御部１５０ｇは、店頭モード切替部１５１と、環境情報取得部１５２ｇとを備える。
【０１２７】
記憶部１１０ｇには、郵便番号の入力欄を有するコンテンツが記憶されている。
制御部１５０ｇは、記憶部１１０ｇから郵便番号の入力欄を有するコンテンツを読み出し、そのコンテンツを表示部１８０に表示させる。
入力部１０１は、表示部１８０が郵便番号の入力欄を有するコンテンツを表示しているときに、例えば、郵便番号下４桁の入力欄に店員により入力された、特定のコードを受け付ける。この例のように、入力部１０１は、表示装置１００ｇを操作する操作者が入力した特定のコードを受け付ける。そして、入力部１０１は、受け付けた特定のコードを含む郵便番号を示す郵便番号情報を制御部１５０ｇへ出力する。
【０１２８】
環境情報取得部１５２ｇは、外部入力取得部１５６ｇを備える。外部入力取得部１５６ｇは、例えば、入力部１０１が受け付けた特定コード情報を取得する。そして、外部入力取得部１５６ｇは、取得した特定コード情報を通信部１６０からポータルサーバ２００ｇへ送信する。
【０１２９】
図３２は、第７の実施形態におけるポータルサーバ２００ｇの構成を示す概略ブロック図である。図３と共通する要素には同一の符号を付し、その具体的な説明を省略する。図３２のポータルサーバ２００ｇの構成は、図３のポータルサーバ２００の構成に対して、制御部２３０が制御部２３０ｇに変更されたものになっている。ここで、制御部２３０ｇは、判定部２３２ｇと、切替部２３３とを備える。
【０１３０】
ここで、データサーバ３００の記憶部３１０には、特定コード情報と量販店名情報とが関連付けられて記憶されている。
判定部２３２ｇは、例えば、通信部２２０が表示装置１００ｇから受信した特定コード情報を取得する。そして、判定部２３２ｇは、例えば、取得した特定コード情報に対応する量販店名情報をデータサーバ３００の記憶部３１０から取得する。例えば、図５における郵便番号の列の２行目の「＊−９７３３」の「９７３３」は特定のコードの一例である。図５の例において、例えば、判定部２３２ｇが通信部２２０から取得した特定コード情報が「９７３３」の場合、判定部２３２ｇは、「９７３３」に対応する量販店名である「Ａデンキ」をデータサーバ３００の記憶部３１０から取得する。そして、判定部２３２ｇは読み出した「Ａデンキ」を、表示装置１００ｇが設置されている量販店と判定する。
【０１３１】
この例のように、データサーバ３００の記憶部３１０には、特定コード情報と店名を示す店名情報とが関連付けられて記憶されている。そして、判定部２３２ｇは、環境情報取得部１５２ｇが取得した特定コード情報に対応する店名情報を読み出すことで、表示装置１００ｇが設置されている店を判定する。
【０１３２】
以上、第７の実施形態における切替システム１ｇにおいて、入力部１０１は、表示装置１００ｇを操作する操作者が入力した特定のコードを受け付ける。そして、環境情報取得部１５２ｇは、入力部１０１が受け付けた特定のコードを取得する。そして、判定部２３２ｇは、データサーバ３００の記憶部３１０から、環境情報取得部１５２ｇが取得した特定のコードを示す特定コード情報に対応する店名情報を読み出すことで、表示装置１００ｇが設置されている店を判定する。
【０１３３】
これにより、切替システム１ｇは、表示装置１００ｇが設置されている店の情報を表示装置１００ｇに表示し、表示装置１００ｇが設置されている店に競合する他店の情報を表示装置１００ｇに表示させないようにすることができる。その結果、表示装置１００ｇは競合他店の情報を表示しないので、その店のお客さんに競合他店の情報を与えないようにすることができる。また、表示装置１００ｇは、初期設定用の郵便番号入力欄を有するテレビ受像機であれば実現できるので、表示装置１００ｇとして既存のテレビ受像機も利用可能であるという利点がある。
【０１３４】
以上、各実施形態において、環境情報取得部が、表示装置が置かれている環境に関する情報である環境情報を取得する。そして、判定部は環境情報取得部が取得した環境情報に基づいて、表示装置が設置されている店を判定する。そして、切替部は、判定部が判定した店に基づいて、コンテンツを切り替える。その際、切替部は、例えば、表示装置に表示させるコンテンツ中に、判定部が判定した店に関する情報を含ませ、判定部が判定した店に競合する他店の情報を含ませない。
【０１３５】
なお、各実施形態において、切替部２３３は、量販店の関連情報や提携他社の広告などを追加したコンテンツを生成し、表示装置が生成されたコンテンツも表示するようにしてもよい。その場合、データサーバ（３００、３００ｂ）の記憶部（３１０、３１０ｂ）には、例えば、更に量販店名と追加表示内容とが関連付けられて記憶されていればよい。ここで、追加表示内容は、当該量販店名が選択された場合に、追加で表示される内容である。
図３３は、データサーバ（３００、３００ｂ）の記憶部（３１０、３１０ｂ）に記憶されているテーブルの変形例である。同図のテーブルＴ２は、例えば、図５のテーブルＴ１に「追加表示内容」の列が追加されたものである。
【０１３６】
その場合に、表示装置に表示されるポータルサイトのページの変形例を、図３４を用いて説明する。図３４は、表示装置に表示されるポータルサイトのページの変形例である。同図は、表示装置が設置されている量販店として「Ｍデンキ」と判定された場合の例である。同図のポータルサイトのページＧ７において、「コミュニケーション」のアイコンＲ７１と、「サポート」のアイコンＲ７２が示されている。更にページＧ７において、「Ｍデンキ」のアイコンＲ７３とともに、図３３の量販店名「Ｍデンキ」に関連付けられた「Ｄ社キャンペーン」の画像Ｒ７４が示されている。
【０１３７】
また、各実施形態において、切替部２３３は、競合他店ではなくとも表示装置が設置されている店に関係のない情報を削除してもよい。ここで、その場合に、表示装置に表示されるポータルサイトのページの変形例を、図３５を用いて説明する。図３５は、表示装置に表示されるポータルサイトのページの第２の変形例である。同図は、表示装置が設置されている量販店として「Ｍデンキ」と判定された場合の例である。同図のポータルサイトのページＧ８を、図３４のポータルサイトのページＧ７と比べると、「コミュニケーション」のアイコンＲ７１が「ゲーム」のアイコンＲ８１に変更され、チラシサービスの検索サービスＳのリンクが削除されている。この例は、「Ｍデンキ」に関係ないチラシサービスの検索サービスのリンクが削除されている例である。また、同図における「サポート」のアイコンＲ８２は、図３４の「サポート」のアイコンＲ７２と画像は一緒でも中身は「Mデンキ」のサポートになっている。
【０１３８】
また、各実施形態の表示装置は、店舗モードを起動しても、例えば、ポータルサーバが量販店の判定に失敗した場合など中途半端な状態に陥ったときは、代替ロゴをポータルサイトに表示してもよい。この代替ロゴを見た店員は、量販店名を設定すればよいことに気づく。その一方で、代替ロゴを表示させていても、大きく表示画面が代わらないので、お客に与える違和感を軽減することができる。
【０１３９】
図３６は、量販店Ｍの店頭において、ポータルサーバが量販店Ｍであると判定できていない状態のポータルサイトのページの例である。同図において、ポータルサイトのページＧ９において、代替ロゴＲ９１が表示されている。この代替ロゴＲ９１が選択されると、各実施形態の切替システムは、一連の店舗判定処理を再度実行してもよい。このように、ポータルサーバが量販店Ｍであると判定できていない場合、各実施形態の切替部２３３は、例えば、表示装置にいずれの量販店のリンクも表示させないようにして代替ロゴＲ９１を表示させてもよい。
【０１４０】
各実施形態において、データサーバ３００の記憶部３１０に全国の量販店の系列店の情報が予め記憶されていることで、ある量販店の全ての系列店で、表示装置は同じ挙動を示すことができる。
また、データサーバ３００の記憶部３１０にある店舗の情報が予め記憶されていることで、その店舗内の全ての表示装置は、同じ挙動を示すことができる。
【０１４１】
なお、同一店舗内における表示装置が、全て同じルータに繋がっている場合、ＵＰｎＰ（Ｕｎｉｖｅｒｓａｌ  Ｐｌｕｇ  ａｎｄ  Ｐｌａｙ）で探し当てて自動で設定しにいくようにしてもよい。これにより、ポータルサーバが不要になるという利点がある。また、ＵＰｎＰ以外でもＰｅｅｒＴｏＰｅｅｒで通信出来るプロトコルなら何でもよい。
【０１４２】
また、表示装置は、個人情報を初期化する場合、表示装置の設置場所が動いた場合、または放送局をスキャンしなおした場合、店頭モードを解除してもよい。
また、切替システムは、通常モードにおいて、表示装置が置かれている地域（例えば、ユーザの住んでいる地域）にない量販店リンクを外してもよい。例えば、店舗数が少ないか出店地域が偏っている場合、店舗数が少ない(例えば、東京、大阪に1店舗ずつ出店している)量販店や、出店地域が偏っている(九州地方のみに出店している)量販店については、リンクから外してもよい。その場合、切替システムは、郵便番号または受信可能な放送波から、リンクから外す量販店を検出してもよい。
【０１４３】
なお、各実施形態において、店頭における利用について説明したが、これに限ったものではない。切替システムは、発表会(例えば、技術展示会、製品発表会、社内会議)の場所に応じて、コンテンツを切り換えてもよい。例えば、技術展示会の場合、切替システムは、表示装置に、他社から表示承諾の取れていないコンテンツを表示させず、デモコンテンツまたは社内コンテンツを表示させるようにしてもよい。例えば、製品発表会の場合、切替システムは、表示装置に、他社から承諾の取れていないコンテンツを表示させず、デモコンテンツ、公開予定コンテンツまたは公開済みコンテンツを表示させるようにしてもよい。例えば、社内会議の場合、切替システムは、表示装置に、サービス部門の許諾が取れていないコンテンツを表示させず、それ以外のコンテンツを表示させるようにしてもよい。
【０１４４】
以上により、切替システムにおける判定部は、環境情報取得部が取得した環境情報に基づいて、表示装置が設定されている場所を判定してもよい。また、切替部は、判定部が判定した場所に基づいて、表示装置に表示させるコンテンツを切り替えてもよい。
【０１４５】
また、本実施形態の切替システム、表示装置、ポータルサーバまたはデータサーバの各処理を実行するためのプログラムをコンピュータ読み取り可能な記録媒体に記録して、当該記録媒体に記録されたプログラムをコンピュータシステムに読み込ませ、実行することにより、切替システム、表示装置、ポータルサーバまたはデータサーバに係る上述した種々の処理を行ってもよい。
【０１４６】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１４７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１４８】
以上、本発明の実施形態について図面を参照して詳述したが、具体的な構成はこの実施形態に限られるものではなく、この発明の要旨を逸脱しない範囲の設計等も含まれる。
【符号の説明】
【０１４９】
１、１ｂ、１ｃ、１ｄ、１ｅ、１ｆ、１ｇ  切替システム
１００、１００ｂ、１００ｃ、１００ｄ、１００ｅ、１００ｆ、１００ｇ  表示装置
１０１  入力部
１０２  赤外線受光部
１１０、１１０ｄ、１１０ｇ  記憶部
１２０、１２０ｅ  チューナ
１３０  挿入部
１４０  撮像部
１５０、１５０ｂ、１５０ｃ、１５０ｄ、１５０ｅ、１５０ｆ、１５０ｇ  制御部
１５１  店頭モード切替部
１５２、１５２ｄ、１５２ｅ、１５２ｆ、１５２ｇ  環境情報取得部
１５３  本体設定取得部
１５４  通信設定取得部
１５５  番組情報取得部
１５６、１５６ｇ  外部入力取得部
１６０  通信部
１７０  動画制御部
１８０  表示部
１９０  収音部
２００、２００ｂ、２００ｃ、２００ｄ、２００ｅ、２００ｆ、２００ｇ  ポータルサーバ（切替装置）
２１０  記憶部
２２０  通信部
２３０、２３０ｂ、２３０ｃ、２３０ｄ、２３０ｅ、２３０ｆ、２３０ｇ  制御部
２３１、２３１ｂ  環境情報取得部
２３２、２３２ｂ、２３２ｃ、２３２ｄ、２３２ｅ、２３２ｆ、２３２ｇ  判定部
２３３  切替部
２３４  曲名取得部
３００  データサーバ
３１０  記憶部
３２０  通信部
３３０  ＣＰＵ
【図１】
2014032507.tif 000003
【図２】
2014032507.tif 000004
【図３】
2014032507.tif 000005
【図４】
2014032507.tif 000006
【図５】
2014032507.tif 000007
【図６】
2014032507.tif 000008
【図７】
2014032507.tif 000009
【図８】
2014032507.tif 000010
【図９】
2014032507.tif 000011
【図１０】
2014032507.tif 000012
【図１１】
2014032507.tif 000013
【図１２】
2014032507.tif 000014
【図１３】
2014032507.tif 000015
【図１４】
2014032507.tif 000016
【図１５】
2014032507.tif 000017
【図１６】
2014032507.tif 000018
【図１７】
2014032507.tif 000019
【図１８】
2014032507.tif 000020
【図１９】
2014032507.tif 000021
【図２０】
2014032507.tif 000022
【図２１】
2014032507.tif 000023
【図２２】
2014032507.tif 000024
【図２３】
2014032507.tif 000025
【図２４】
2014032507.tif 000026
【図２５】
2014032507.tif 000027
【図２６】
2014032507.tif 000028
【図２７】
2014032507.tif 000029
【図２８】
2014032507.tif 000030
【図２９】
2014032507.tif 000031
【図３０】
2014032507.tif 000032
【図３１】
2014032507.tif 000033
【図３２】
2014032507.tif 000034
【図３３】
2014032507.tif 000035
【図３４】
2014032507.tif 000036
【図３５】
2014032507.tif 000037
【図３６】
2014032507.tif 000038